(57)【要約】【課題】ＩＣカードを利用して施設への入場又は出場を管理するシステムへの追加処理を簡単に実現することができるチケット処理装置及びチケット処理システムを提供することである。【解決手段】実施形態のチケット処理装置は、リーダライタ部と、二次元コード読取部と、処理部とを持つ。リーダライタ部は、ＩＣチップから電子情報を読み取る。二次元コード読取部は、二次元コードに含まれる二次元コード情報を読み取る。処理部は、前記リーダライタ部が前記ＩＣチップから前記電子情報を読み取り可能な状態で、前記二次元コード読取部により前記二次元コード情報が読み取られた場合、前記二次元コード情報を適用した入場処理又は出場処理を実行する。【選択図】図２
2015176356.tif 000002
【特許請求の範囲】
【請求項１】
ＩＣチップから電子情報を読み取るリーダライタ部と、
二次元コードに含まれる二次元コード情報を読み取る二次元コード読取部と、
前記リーダライタ部が前記ＩＣチップから前記電子情報を読み取り可能な状態で、前記二次元コード読取部により前記二次元コード情報が読み取られた場合、前記二次元コード情報を適用した入場処理又は出場処理を実行する処理部と、
を備えるチケット処理装置。
【請求項２】
前記処理部は、
前記二次元コード情報に基づき出場処理が完了した場合、同一の前記二次元コード情報を適用した入場処理又は出場処理を禁止する請求項１に記載のチケット処理装置。
【請求項３】
対向して配置される前記ＩＣチップに対して前記リーダライタ部が前記電子情報を読み取り可能な領域と、対向して配置される前記二次元コードに対して前記二次元コード読取部が前記二次元コード情報を読み取り可能な領域とが、少なくとも一部において重複している請求項１又は２に記載のチケット処理装置。
【請求項４】
前記リーダライタ部は、前記ＩＣチップと通信するアンテナと接続されており、
前記二次元コード読取部は、前記二次元コードを撮影するカメラからの出力に基づき前記二次元コード情報を読み取り、
前記アンテナは、前記カメラの光軸を囲むように配置されている請求項１から３のうちいずれか一項に記載のチケット処理装置。
【請求項５】
前記処理部は、
前記出場処理として、前記リーダライタ部が読み取った入場情報に基づき算出される料金から前記二次元コード読取部が読み取った前記二次元コード情報に基づく割引額を割り引いた支払額を、前記ＩＣチップに記憶された残高から差し引く処理を行う請求項１から４のうちいずれか一項に記載のチケット処理装置。
【請求項６】
前記処理部は、
前記入場処理として、入場施設に対応する入場情報を前記ＩＣチップに書き込ませるよう前記リーダライタ部を制御する請求項１から５のうちいずれか一項に記載のチケット処理装置。
【請求項７】
請求項１から６のうちいずれか一項に記載のチケット処理装置と、
前記チケット処理装置と接続され、前記チケット処理装置から受信した前記二次元コード情報に基づき、前記二次元コード情報の有効性を判定するサーバとを備え、
前記処理部は、
前記サーバにより前記二次元コード情報が有効であると判定された場合、前記二次元コード情報を適用した入場処理又は出場処理を実行するチケット処理システム。
【発明の詳細な説明】
【技術分野】
【０００１】
本発明の実施形態は、チケット処理装置及びチケット処理システムに関する。
【背景技術】
【０００２】
ＩＣカードを利用して、施設への入場又は出場を管理するとともに、使用料をＩＣカードの電子マネーで電子決済するシステムが知られている。しかしながら、このシステムに対して、使用料の割引サービス等を追加する場合、既存のシステムに使用料の割引処理を実行するための大幅な改造を行う必要があった。
【先行技術文献】
【特許文献】
【０００３】
【特許文献１】特開２００９−２４５２１０号公報
【発明の概要】
【発明が解決しようとする課題】
【０００４】
本発明が解決しようとする課題は、ＩＣカードを利用して施設への入場又は出場を管理するシステムへの追加処理を簡単に実現することができるチケット処理装置及びチケット処理システムを提供することである。
【課題を解決するための手段】
【０００５】
実施形態のチケット処理装置は、リーダライタ部と、二次元コード読取部と、処理部とを持つ。リーダライタ部は、ＩＣチップから電子情報を読み取る。二次元コード読取部は、二次元コードに含まれる二次元コード情報を読み取る。処理部は、前記リーダライタ部が前記ＩＣチップから前記電子情報を読み取り可能な状態で、前記二次元コード読取部により前記二次元コード情報が読み取られた場合、前記二次元コード情報を適用した入場処理又は出場処理を実行する。
【図面の簡単な説明】
【０００６】
【図１】第１の実施形態に係るチケット処理装置１０の一例を示す概略図である。
【図２】第１の実施形態に係るチケット処理システム１の構成例を示すブロック図である。
【図３】チケット処理システム１による出場処理の一例について説明するためのフローチャートである。
【図４】チケット処理システム１による二次元コード情報を用いた収受処理の一例について説明するためのフローチャートである。
【図５】第２の実施形態に係る入場処理の一例について説明するためのフローチャートである。
【図６】図５に示す入場処理が実行されたＩＣカードを用いて入場処理を実行する場合の一例について説明するためのフローチャートである。
【図７】第３の実施形態に係るチケット処理システム１の構成例を示す図である。
【発明を実施するための形態】
【０００７】
以下、実施形態のチケット処理装置１０を、図面を参照して説明する。
【０００８】
（第１の実施形態）
図１は、実施形態に係るチケット処理装置１０の一例を示す概略図である。実施形態に係るチケット処理装置１０は、入場又は出場が管理される施設の入場側又は出場側に設置される。チケット処理装置１０は、例えば、駅の改札に設置され、ＩＣカード化された鉄道の乗車券を処理する例について説明するがこれに限られない。チケット処理装置１０は、例えば、バスの入口又は出口に設置され、ＩＣカード化されたバスの乗車券を処理するものでもよい。また、チケット処理装置１０は、テーマパークの出入口、映画やコンサート等の施設の出入口に設置され、これら施設の入場又は出場を管理するチケット等を処理するものでもよい。
図１（Ａ）は、チケット処理装置１０を正面から見た図であり、図１（Ｂ）は、チケット処理装置１０を横から見た図である。ここでは、チケット処理装置１０を正面から見たときに底面又は上面の外縁と平行である直線をＸ軸とする。また、チケット処理装置１０を横から見たときに底面又は上面の外縁と平行である直線をＹ軸、鉛直上方をＺ軸とする。
【０００９】
チケット処理装置１０は、表示部１１と、アンテナ１２と、カメラ１３とを備える。表示部１１は、チケット処理装置１０の正面に設けられる。アンテナ１２は、表示部１１の下に設けられる。カメラ１３は、アンテナ１２の中央であって、チケット処理装置１０の正面側にレンズが向けられる位置に設けられる。
アンテナ１２は、チケット処理装置１０の正面側からアンテナ１２と対向して位置されるＩＣカードに搭載されるＩＣチップと非接触通信を行い、ＩＣカードに搭載されるＩＣチップに対して情報の読み書きを行う。
カメラ１３は、チケット処理装置１０の正面側からカメラ１３と対向して位置される二次元コードを撮影して、撮影した画像をチケット処理装置１０の内部に搭載される制御部に出力する。
【００１０】
実施形態では、チケット処理装置１０の正面から見て、アンテナ１２が、カメラ１３の光軸Ａを囲むように配置されている。また、チケット処理装置１０の正面から見て、アンテナ１２とカメラ１３とは、チケット処理装置１０の正面に設けられた読み取りエリアＥ内に配置される。図示の例では、アンテナ１２の方がカメラ１３のレンズよりも大きいため、カメラ１３がアンテナ１２の内側に配置される位置関係となっている。
つまり、対向して配置されるＩＣカードに対してアンテナ１２がＩＣチップと通信可能な領域と、対向した配置される二次元コードが記載された媒体に対してカメラ１３が二次元コードを撮影可能な領域とは、少なくとも一部において重複している。実施形態では、チケット処理装置１０の正面から見て、アンテナ１２がＩＣチップと通信可能な領域の中央部分と、カメラ１３が二次元コードを撮影可能な領域とが重複している。
利用者は、二次元コードがカメラ１３に撮影されるように、二次元コードが記載された媒体の方がチケット処理装置１０に近い側となるように、ＩＣカードと二次元コードが記載された媒体を重ねて、アンテナ１２及びカメラ１３に向けて翳す。この利用者の操作により、チケット処理装置１０は、ＩＣカードから情報を読み取り可能な状態において、二次元コードから情報を読み取ることができる。
【００１１】
次に、図２を参照して、実施形態に係るチケット処理システム１の構成例について説明する。図２は、実施形態に係るチケット処理システム１の構成例を示すブロック図である。
チケット処理システム１は、ネットワークを介して接続されるチケット処理装置１０とセンターサーバ３０とを備える。
チケット処理装置１０は、上記構成に加え、リーダライタ部１４と、通信部１５と、記憶部１６と、制御部１７と、操作部１８とを備える。
表示部１１は、チケット処理装置１０による処理結果や利用者への操作案内を表示する。
アンテナ１２は、チケット処理装置１０の正面においてアンテナ１２と対向する所定の読み取り位置、つまり、通信エリア内に配置されたＩＣカードと非接触の通信を行う。
カメラ１３は、レンズと対向する所定の撮影位置に位置された二次元コードを撮影し、撮影した画像を制御部１７に出力する。
リーダライタ部１４は、アンテナ１２が通信するＩＣカードに内蔵されるＩＣチップから情報を読み取り、また、制御部１７の制御の下、ＩＣカードに内蔵されるＩＣチップに所定の情報を書き込ませる。実施形態において、リーダライタ部１４は、ＩＣカードに内蔵されるＩＣチップから、入場情報や、電子マネーの残額情報、ＩＣカードに割り当てられた固有の識別情報（以下、電子ＩＤ情報という）等を読み取る。また、リーダライタ部１４は、ＩＣカードに内蔵されるＩＣチップに対して、出場情報や、使用した料金（以下、支払額という）が差し引かれた電子マネーの残額情報を書き込む。
【００１２】
通信部１５は、ネットワークを介して、センターサーバ３０との間で情報の送受信を行う。
記憶部１６は、チケット処理装置１０の動作に必要な種々の情報を記憶する。
制御部１７は、例えば、ＣＰＵ（Central Processing Unit）であって、チケット処理装置１０の動作を統括的に制御する制御部である。チケット処理装置１０は、ＣＰＵである制御部１７がプログラムを実行することにより機能する機能部として、二次元コード読取部１７１と、処理部１７２と、を備える。これら機能部の一部又は全部は、ＬＳＩ（Large Scale Integration）やＡＳＩＣ（Application Specific Integrated Circuit）などのハードウェア機能部であってもよい。
操作部１８は、利用者からの操作を受け付け、受け付けた操作内容を示す情報を制御部１７に出力する。
【００１３】
センターサーバ３０は、通信部３１と、記憶部３２と、制御部３３とを備える。
通信部３１は、ネットワークを介して、チケット処理装置１０と間で情報の送受信を行う。
記憶部３２は、センターサーバ３０の動作に必要な種々の情報を記憶する。例えば、記憶部３２は、二次元コード情報の有効性を判定するための情報を記憶する。実施形態において、記憶部３２には、出場処理が完了した二次元コードを示すリスト（以下、出場処理リスト）が記憶されている。出場処理が完了した二次元コードとは、二次元コード情報を適用して料金の支払いが完了した二次元コードである。また、記憶部３２には、入場処理を実行する二次元コードを示すリスト（以下、入場処理リスト）が記憶されていてもよい。出場情報リスト及び入場情報リストには、二次元コードを示す情報として、二次元コード情報が記憶されてもよく、二次元コード情報に含まれる一部の情報が記憶されてもよい。
【００１４】
制御部３３は、例えば、ＣＰＵ（Central Processing Unit）であって、センターサーバ３０の動作を統括的に制御する制御部である。制御部３３の機能部の一部又は全部は、ＬＳＩ（Large Scale Integration）やＡＳＩＣ（Application Specific Integrated Circuit）などのハードウェア機能部であってもよい。
【００１５】
次に、図３を参照して、実施形態に係るチケット処理システム１による出場処理の一例について説明する。図３は、チケット処理システム１による出場処理の一例について説明するためのフローチャートである。
ここで、入場側のチケット処理装置１０に対しては、ＩＣカードだけが翳されたとする。この場合、入場側のチケット処理装置１０は、ＩＣカードに入場情報を書き込む。
以下、出場側のチケット処理装置１０による出場処理の一例について説明する。チケット処理装置１０の処理部１７２は、リーダライタ部１４がＩＣカードに搭載されたＩＣチップから電子情報を読み取り可能な状態で、二次元コード情報と入場情報の両方を読み取ったか否かを判定する（ステップＳＴ１）。
例えば、利用者が、入場情報が書き込まれたＩＣカードと二次元コードが記載された媒体とを重ねて、アンテナ１２とカメラ１３と対向する位置に翳したとする。具体的に説明すると、利用者は、二次元コードがカメラ１３に撮影されるように、二次元コードが記載された媒体の方がチケット処理装置１０に近い側となるように重ねて翳す。このような利用者の操作方法については、制御部１７が表示部１１から表示させてもよい。
この場合、アンテナ１２がＩＣカードと通信を行い、リーダライタ部１４がＩＣカードのＩＣチップに記憶されている入場情報を読み取り、処理部１７２に出力する。また、二次元コード読取部１７１は、カメラ１３が撮影する画像に基づき、二次元コードから二次元コード情報を読み取り、処理部１７２に出力する。
処理部１７２は、所定時間内に、リーダライタ部１４から入場情報が入力し、且つ、二次元コード読取部１７１から二次元コード情報が入力した場合、リーダライタ部１４がＩＣカードに搭載されたＩＣチップから電子情報を読み取り可能な状態で、二次元コード情報と入場情報の両方を読み取ったと判定する。
【００１６】
リーダライタ部１４がＩＣカードに搭載されたＩＣチップから電子情報を読み取り可能な状態で、二次元コード情報と入場情報の両方を読み取ったと判定した場合、処理部１７２は、通信部１５を介して、二次元コード情報をセンターサーバ３０に送信する（ステップＳＴ２）。
センターサーバ３０の制御部３３は、通信部３１を介して、チケット処理装置１０から受信した二次元コード情報の有効性を判定する（ステップＳＴ３，４）。実施形態において、制御部３３は、出場処理リストを参照して、受信した二次元コード情報が、出場処理リストに含まれているか否かを判定する。受信した二次元コード情報が出場処理リストに含まれていない場合、制御部３３は、受信した二次元コード情報が有効であると判定する。一方、受信した二次元コード情報が出場処理リストに含まれている場合、制御部３３は、受信した二次元コード情報が無効であると判定する。
【００１７】
受信した二次元コード情報が無効であると判定した場合（ステップＳＴ４−ＮＯ）、制御部３３は、二次元コードが使用不可であることを示す情報をチケット処理装置１０に送信する（ステップＳＴ５）。
チケット処理装置１０は、センターサーバ３０から二次元コードが使用不可であることを示す情報を受信した場合、その旨を表示部１１から表示させて、出場処理を終了する（ステップＳＴ６）。つまり、二次元コード情報が無効である場合、出場処理が完了していないため、チケット処理装置１０は、料金の収受を行わず、出場情報をＩＣカードに記録させない。
【００１８】
一方、受信した二次元コード情報が有効であると判定した場合（ステップＳＴ４−ＹＥＳ）、制御部３３は、二次元コードが使用可能であることを示す情報をチケット処理装置１０に送信する（ステップＳＴ７）。
チケット処理装置１０は、センターサーバ３０から二次元コードが使用可能であることを示す情報を受信した場合、二次元コード情報を用いた収受処理を実行し、処理結果を表示部１１に表示させる（ステップＳＴ８）。つまり、二次元コード情報が有効である場合、チケット処理装置１０は、料金の収受を行い、出場情報をＩＣカードに記録させ、出場処理を完了させる。
【００１９】
次に、図４を参照して、実施形態に係るチケット処理システム１による二次元コード情報を用いた収受処理の一例について説明する。図４は、チケット処理システム１による二次元コード情報を用いた収受処理の一例について説明するためのフローチャートである。なお、この処理は、ステップＳＴ８に相当する処理である。
処理部１７２は、有効であると判定された二次元コード情報から割引額を算出する（ステップＳＴ１０１）。
また、処理部１７２は、ＩＣカードから読み取った入場情報に基づき、チケット処理装置１０が設置される出口までの料金を算出する（ステップＳＴ１０２）。
そして、処理部１７２は、ステップＳＴ１０２で算出した料金を割引額で割り引いた後の支払額を算出する（ステップＳＴ１０３）。
【００２０】
処理部１７２は、ＩＣカードから読み取った電子マネーの残額情報に基づき、残額が、ステップＳＴ１０３で算出した支払額以上であるか否かを判定する（ステップＳＴ１０４）。
残額が支払額未満であると判定した場合（ステップＳＴ１０４−ＮＯ）、処理部１７２は、残額不足であることを表示部１１から表示させて、出場処理を終了させる（ステップＳＴ１０５）。
一方、残額が支払額以上であると判定した場合（ステップＳＴ１０４−ＹＥＳ）、処理部１７２は、支払額をＩＣチップに記憶された残高から差し引く処理を行う（ステップＳＴ１０６）。具体的に説明すると、処理部１７２は、残額から支払額を差し引いた金額を、ＩＣカードの電子マネーの残額情報として書き換えるよう、リーダライタ部１４を制御する。
そして、処理部１７２は、出場情報をＩＣカードに書き込むようリーダライタ部１４を制御する（ステップＳＴ１０７）。
処理部１７２は、二次元コード情報と、支払額の明細情報と、通信部１５を介して、センターサーバ３０に送信する（ステップＳＴ１０８）。支払額の明細情報には、支払額の金額、入場駅を示す情報、出場駅を示す情報等が含まれていてもよい。
センターサーバ３０は、通信部３１を介して、チケット処理装置１０から受信した二次元コード情報を、記憶部３２の出場処理リストに追加する（ステップＳＴ１０９）。なお、センターサーバ３０は、受信した明細情報と二次元コード情報とを対応付けた情報を、記憶部３２の所定の記憶領域に書き込む。
【００２１】
（第２の実施形態）
次に、図５を参照して、第２の実施形態に係る入場処理の一例について説明する。図５は、第２の実施形態に係る入場処理の一例について説明するためのフローチャートである。なお、第２の実施形態では、第１の実施形態で説明したチケット処理システム１の構成を利用可能であるため、チケット処理システム１を用いて以下説明する。
以下、入場側のチケット処理装置１０による入場処理の一例について説明する。チケット処理装置１０の処理部１７２は、リーダライタ部１４がＩＣカードに搭載されたＩＣチップから電子情報を読み取り可能な状態で、二次元コード情報と電子ＩＤ情報の両方を読み取ったか否かを判定する（ステップＳＴ３１）。
例えば、利用者が、ＩＣカードと二次元コードが記載された媒体とを重ねて、アンテナ１２とカメラ１３と対向する位置に翳したとする。具体的に説明すると、利用者は、二次元コードがカメラ１３に撮影されるように、二次元コードが記載された媒体の方がチケット処理装置１０に近い側にとなるように重ねて翳す。このような利用者の操作方法については、制御部１７が表示部１１から表示させてもよい。
この場合、アンテナ１２がＩＣカードと通信を行い、リーダライタ部１４がＩＣカードのＩＣチップに記憶されている電子ＩＤ情報を読み取り、処理部１７２に出力する。また、二次元コード読取部１７１は、カメラ１３が撮影する画像に基づき、二次元コードから二次元コード情報を読み取り、処理部１７２に出力する。
処理部１７２は、所定時間内に、リーダライタ部１４から電子ＩＤ情報が入力し、且つ、二次元コード読取部１７１から二次元コード情報が入力した場合、リーダライタ部１４がＩＣカードに搭載されたＩＣチップから電子情報を読み取り可能な状態で、二次元コード情報と電子ＩＤ情報の両方を読み取ったと判定する。
【００２２】
リーダライタ部１４がＩＣカードに搭載されたＩＣチップから電子情報を読み取り可能な状態で、二次元コード情報と電子ＩＤ情報の両方を読み取ったと判定した場合、処理部１７２は、通信部１５を介して、二次元コード情報と電子ＩＤ情報とをセンターサーバ３０に送信する（ステップＳＴ３２）。
センターサーバ３０の制御部３３は、通信部３１を介して、チケット処理装置１０から受信した二次元コード情報の有効性を判定する（ステップＳＴ３３、３４）。
【００２３】
受信した二次元コード情報が無効であると判定した場合（ステップＳＴ３４−ＮＯ）、制御部３３は、二次元コードが使用不可であることを示す情報をチケット処理装置１０に送信する（ステップＳＴ３５）。
チケット処理装置１０は、センターサーバ３０から二次元コードが使用不可であることを示す情報を受信した場合、その旨を表示部１１から表示させて、入場処理を終了する（ステップＳＴ３６）。つまり、二次元コード情報が無効である場合、入場処理が完了していないため、チケット処理装置１０は、入場情報をＩＣカードに記録しない。
【００２４】
一方、受信した二次元コード情報が有効であると判定した場合（ステップＳＴ３４−ＹＥＳ）、制御部３３は、チケット処理装置１０から受信した二次元コード情報と電子ＩＤ情報とを対応付けて、記憶部３２の入場処理リストに登録する（ステップＳＴ３７）。
次いで、制御部３３は、二次元コードが使用可能であることを示す情報をチケット処理装置１０に送信する（ステップＳＴ３８）。
チケット処理装置１０は、センターサーバ３０から二次元コードが使用可能であることを示す情報を受信した場合、入場情報をＩＣカードに書き込み、処理結果を表示部１１に表示させる（ステップＳＴ３９）。
【００２５】
次に、図６を参照して、図５に示す入場処理が実行されたＩＣカードを用いて出場処理を実行する場合の一例について説明する。図６は、図５に示す入場処理が実行されたＩＣカードを用いて出場処理を実行する場合の一例について説明するためのフローチャートである。上述の通り、入場処理では、ＩＣカードと二次元コードが記載された媒体がチケット処理装置１０に翳されて、二次元コード情報がセンターサーバ３０の記憶部３２に記録され、入場情報がＩＣカードに書き込まれている。
ここで、出場側のチケット処理装置１０に対しては、ＩＣカードだけが翳されるとする。
チケット処理装置１０の処理部１７２は、入場情報と電子ＩＤ情報の両方を読み取ったか否かを判定する（ステップＳＴ４１）。
例えば、利用者が、入場情報が書き込まれたＩＣカードのみを、アンテナ１２と対向する位置で翳したとする。
この場合、アンテナ１２がＩＣカードと通信を行い、リーダライタ部１４がＩＣカードのＩＣチップに記憶されている入場情報と電子ＩＤ情報とを読み取り、処理部１７２に出力する。
処理部１７２は、同じタイミングの通信により、リーダライタ部１４から入場情報と電子ＩＤ情報とを入力した場合、入場情報と電子ＩＤ情報の両方を読み取ったと判定する。
【００２６】
入場情報と電子ＩＤ情報の両方を読み取ったと判定した場合、処理部１７２は、通信部１５を介して、電子ＩＤ情報をセンターサーバ３０に送信する（ステップＳＴ４２）。
センターサーバ３０の制御部３３は、通信部３１を介して、チケット処理装置１０から受信した電子ＩＤ情報に基づき、記憶部３２の入場処理リストの中から、受信した電子ＩＤ情報に対応付けられている二次元コード情報を検索する（ステップＳＴ４３）。制御部３３は、検索結果に基づき、二次元コード情報の有効性を判定する（ステップＳＴ４４）。実施形態において、制御部３３は、入場処理リストを参照し、受信した電子ＩＤ情報に対応付けられている二次元コード情報が入場処理リストに含まれているか否かを判定する。受信した電子ＩＤ情報に対応付けられている二次元コード情報が、入場処理リストに含まれている場合、制御部３３は、受信した二次元コード情報が有効であると判定する。一方、受信した電子ＩＤ情報に対応付けられている二次元コード情報が入場処理リストに含まれていない場合、制御部３３は、受信した二次元コード情報が無効であると判定する。
【００２７】
受信した電子ＩＤ情報に対応付けられている二次元コード情報が無効であると判定した場合（ステップＳＴ４４−ＮＯ）、制御部３３は、二次元コードが使用不可であることを示す情報をチケット処理装置１０に送信する（ステップＳＴ４５）。
チケット処理装置１０は、センターサーバ３０から二次元コードが使用不可であることを示す情報を受信した場合、その旨を表示部１１から表示させて、出場処理を終了する（ステップＳＴ４６）。つまり、二次元コード情報が無効である場合、チケット処理装置１０による出場処理が完了していないため、料金の収受を行わず、出場情報をＩＣカードに記録させない。
【００２８】
一方、受信した電子ＩＤ情報に対応付けられている二次元コード情報が有効であると判定した場合（ステップＳＴ４４−ＹＥＳ）、制御部３３は、有効であると判定された二次元コード情報を送信して、二次元コードが使用可能であることをチケット処理装置１０に通知する（ステップＳＴ４７）。
チケット処理装置１０は、センターサーバ３０から二次元コード情報を受信した場合、受信した二次元コード情報を用いた収受処理を実行し、処理結果を表示部１１に表示させる（ステップＳＴ４８）。つまり、二次元コード情報が有効である場合、チケット処理装置１０は、料金の収受を行い、出場情報をＩＣカードに記録させ、出場処理を完了させる。
【００２９】
（第３の実施形態）
次に、図７を参照して、第２の実施形態に係るチケット処理システム１の構成例について説明する。図７は、第２の実施形態に係るチケット処理システム１の構成例を示す図である。
Ａ駅には、複数のチケット処理装置１０１，１０２と、駅サーバ５０Ａとが設置されている。Ｂ駅には、複数のチケット処理装置１０３，１０４と、駅サーバ５０Ｂとが設置されている。駅サーバ５０Ａと駅サーバ５０Ｂとは、ネットワークを介してセンターサーバ３０と接続されている。
駅サーバ５０Ａ，５０Ｂは、センターサーバ３０と定期的に通信を行い、記憶部３２に記憶されている出場処理リスト又は入場処理リストの送信を要求する。駅サーバ５０Ａ，５０Ｂは、センターサーバ３０から受信した出場処理リスト又は入場処理リストを自身の記憶部に記憶し、新しい情報をセンターサーバ３０から受信した場合、記憶する出場処理リスト又は入場処理リストを更新する。
駅サーバ５０Ａ，５０Ｂは、センターサーバ３０と同様の構成と機能を備え、複数のチケット処理装置１０１〜１０４との間で、入場処理、出場処理等を実行する。
【００３０】
これにより、複数のチケット処理装置１０１〜１０４は、第１，２の実施形態においてセンターサーバ３０との間で行っていた処理を、駅サーバ５０Ａ，５０Ｂとの間の通信により行うことができる。よって、ローカルエリアネットワークでの通信により処理を実行することができるため、チケット処理装置１０による処理速度を向上させることができる。
【００３１】
上記各実施形態では、チケット処理装置１０は、第１の実施形態に係る図３の出場処理だけを実行するものでもよく、第２の実施形態に係る図５の入場処理と図６の出場処理だけを実行するものであってよく、全ての入場処理と出場処理が実行できるものであってもよい。全ての入場処理と出場処理を実行する場合、チケット処理装置１０は、読み取った情報に応じて、処理を切り替える。例えば、処理部１７２は、ステップＳＴ１，３１，４１の処理を平行して実行してもよい。リーダライタ部１４がＩＣカードに搭載されたＩＣチップから電子情報を読み取り可能な状態で、二次元コード情報と入場情報の両方を読み取ったと判定した場合、処理部１７２は、図３の出場処理を実行する。リーダライタ部１４がＩＣカードに搭載されたＩＣチップから電子情報を読み取り可能な状態で、二次元コード情報と電子ＩＤ情報の両方を読み取ったと判定した場合、処理部１７２は、図５の入場処理を実行する。入場情報と電子ＩＤ情報の両方を読み取ったと判定した場合、処理部１７２は、図６の出場処理を実行する。
【００３２】
上記各実施形態では、センターサーバ３０は、二次元コードの有効性を判定する際、出場処理リストに含まれている場合無効と判定し、既に二次元コード情報に基づき出場処理が完了している二次元コード情報と同一の二次元コード情報を適用した入場処理又は出場処理を禁止すると説明したがこれに限られない。例えば、センターサーバ３０は、二次元コード情報に基づき、二次元コード情報が偽造された情報であるか、有効期限内の情報であるか否か、二次元コード情報が利用可能な情報であるか否かを判定してもよい。
【００３３】
上記各実施形態では、チケット処理装置１０又はセンターサーバ３０は、二次元コード情報が無効であると判定された場合、この二次元コード情報が無効であると判定されたＩＣカードの電子ＩＤ情報を不正使用者リストに登録してもよい。これにより、繰り返し不正使用を実行する利用者を特定することが可能となる。
【００３４】
上記各実施形態では、チケット処理装置１０が、出場処理リスト又は入場処理リストを記憶部１６に記憶させ、センターサーバ３０からの情報に基づき更新してもよい。この場合、チケット処理装置１０は、センターサーバ３０との通信をしなくても、記憶部１６に記憶されている情報に基づき、二次元コード情報の有効性について判定することができる。
【００３５】
上記各実施形態において、処理部１７２は、二次元コード情報から割引額を算出する場合、二次元コード情報に含まれる割引情報から割引額を算出してもよく、二次元コード情報に応じて予め決められている割引額を記憶部１６又は外部サーバを参照して取得してもよい。
【００３６】
上記各実施形態において、チケット処理装置１０は、入場情報や出場情報をＩＣカードに書き込む際に、入場時刻や出場時刻を示す情報を書き込んでもよい。
【００３７】
上記各実施形態において、センターサーバ３０は、二次元コード情報が有効である二次元コード情報を示すリストを参照して、受信した二次元コード情報が、このリストに含まれているか否かを判定してもよい。受信した二次元コード情報がこのリストに含まれている場合、制御部３３は、受信した二次元コード情報が有効であると判定する。一方、受信した二次元コード情報がこのリストに含まれていない場合、制御部３３は、受信した二次元コード情報が無効であると判定する。
【００３８】
以上説明した少なくともひとつの実施形態によれば、リーダライタ部１４がＩＣカードに搭載されたＩＣチップから電子情報を読み取り可能な状態で、二次元コード情報と電子ＩＤ情報の両方を読み取ったと判定した場合、又は、リーダライタ部１４がＩＣカードに搭載されたＩＣチップから電子情報を読み取り可能な状態で、二次元コード情報と入場情報の両方を読み取ったと判定した場合、二次元コード情報を適用した入場又は出場を許可する処理部１７２を持つことにより、ＩＣカードを利用して施設への入場又は出場を管理するシステムへの追加処理を簡単に実現することができる。
【００３９】
また、ＩＣカードには、従来から利用している入場情報の書き込みと出場情報の書き込みをするだけでよく、追加される割引サービスに関する情報を書き込まなくて済む。これにより、ＩＣカードの改造が必要なく、二次元コードが記載された媒体を利用することにより、ＩＣカードを利用して施設への入場又は出場を管理するシステムへの追加処理を簡単に実現することができる。
【００４０】
また、二次元コードが記載された媒体とＩＣカードが併用された場合、つまり、リーダライタ部１４がＩＣカードに搭載されたＩＣチップから電子情報を読み取り可能な状態で、二次元コード情報と電子ＩＤ情報（又は入場情報）の両方を読み取ったと判定した場合に限り、二次元コード情報を適用した入場又は出場を許可する。具体的に説明すると、チケット処理装置１０が、リーダライタ部１４がＩＣカードに搭載されたＩＣチップから電子情報を読み取り可能な状態で、二次元コード情報と電子ＩＤ情報（又は入場情報）の両方を読み取ったと判定した場合に限り、センターサーバ３０は、二次元コード情報の有効性を判定し、有効であると判定された場合に限り、二次元コード情報を適用した入場又は出場を許可する。これにより、二次元コード情報の不正利用を防ぐことができる。
【００４１】
また、チケット処理装置１０は、入場処理リストを参照して、翳された二次元コードから読み取った二次元コード情報が有効性であると判定された場合、チケット処理装置１０が設置される入場施設に対応する入場情報をＩＣカードに書き込ませる。これにより、二次元コード情報を適用した入場が許可されたＩＣカードだけに、入場情報が書き込まれるため、二次元コード情報の不正利用を防ぐことができる。
【００４２】
また、チケット処理装置１０は、出場処理リストを参照して、翳された二次元コードから読み取った二次元コード情報が有効性であると判定された場合、又は、翳されたＩＣカードから読み取った電子ＩＤ情報と対応付けられた二次元コード情報が有効性であると判定された場合、入場情報に基づき算出される料金を二次元コード情報に基づき割り引いた支払額を、ＩＣカードのＩＣチップに記憶された残高から差し引く処理を行う。これにより、二次元コード情報を適用した出場が許可されたＩＣカードだけに対して、支払額の収受が実行され、出場情報が書き込まれるため、二次元コード情報の不正利用を防ぐことができる。
【００４３】
また、チケット処理装置１０は、二次元コード情報を用いた収受処理が完了した場合、使用された二次元コード情報を出場処理リストに登録する。これによい、チケット処理装置１０は、二次元コード情報に基づき出場処理が完了した場合、同一の二次元コード情報を適用した入場又は出場を禁止する。例えば、二次元コードが記載された媒体が複数回使用された場合や、二次元コードが記載された媒体がコピーされて使用された場合であっても、１回割引が適用された二次元コード情報は出場処理リストに登録される。このように、同じ二次元コード情報を用いた２回以上の使用を禁止することにより、二次元コード情報の不正使用を防止することができる。
【００４４】
また、チケット処理装置１０は、二次元コード情報を利用した割引が適用されたことを条件として、センターサーバ３０の出場処理リストに割引が適用された二次元コード情報を登録する。つまり、チケット処理装置１０は、二次元コード情報を用いた収受処理が終了した場合、センターサーバ３０の出場処理リストに割引が適用された二次元コード情報を登録する。これにより、二次元コード情報がチケット処理装置１０により読み取られたものの、例えば電子マネーの残額が足りずに電子決済されず、割引が適用されなかった場合、二次元コード情報は、使用済みの情報とならないため、次回の使用が可能となる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…チケット処理システム、１０…チケット処理装置、１１…表示部、１２…アンテナ、１３…カメラ、１４…リーダライタ部、１５…通信部、１６…記憶部、１７…制御部、１８…操作部、１７１…二次元コード読取部、１７２…処理部、３０…センターサーバ、３１…通信部、３２…記憶部、３３…制御部、１０１〜１０４…チケット処理装置、５０Ａ，５０Ｂ…駅サーバ
【図１】
2015176356.tif 000003
【図２】
2015176356.tif 000004
【図３】
2015176356.tif 000005
【図４】
2015176356.tif 000006
【図５】
2015176356.tif 000007
【図６】
2015176356.tif 000008
【図７】
2015176356.tif 000009